(57)【要約】      （修正有）【課題】音楽的表現力を向上させたオルゴールを提供する。【解決手段】オルゴールは、はじかれて振動する振動板１２２ｎと、所定の回転軸回りに回転し、振動板１２２ｎに係合して振動板１２２ｎを変形させた後、振動板１２２ｎから離脱することにより振動板１２２ｎをはじいて発音させる複数の発音用ピン１３２と、振動板１２２ｎに接触して振動板１２２ｎの振動を抑制する消音用ピン１３３とを有するシリンダ１３と、を備える。【選択図】図２
2017167236.tif 000002
【特許請求の範囲】
【請求項１】
はじかれて振動する振動板と、
所定の回転軸回りに回転し、前記振動板に係合して前記振動板を変形させた後、前記振動板から離脱することにより前記振動体をはじいて発音させる複数の発音用突部と、前記振動板に接触して前記振動板の振動を抑制する消音用突部とを有する励振手段と、
備えたオルゴール。
【請求項２】
請求項１に記載のオルゴールにおいて、
前記発音用突部と前記消音用突部との前記回転方向の距離を発音させる音の長さに応じて設定した、オルゴール。
【請求項３】
請求項１又は２に記載のオルゴールにおいて、
前記消音用突部と前記振動板との係合量が、前記発音用突部と前記振動板との係合量よりも小さく設定されている、オルゴール。
【請求項４】
請求項１に記載のオルゴールにおいて、
前記振動板から突出したダンパー片、を備え、
前記消音用突部は、前記ダンパー片に係合する、オルゴール。
【請求項５】
請求項１乃至４のうちのいずれか１つに記載のオルゴールにおいて、
前記消音用突部は、前記発音用突部よりも軟質の材料で構成されている、オルゴール。
【請求項６】
請求項１乃至４のうちのいずれか１つに記載のオルゴールにおいて、
前記消音用突部は、金属材料で構成された基部と、前記基部の先端部に取り付けられ、前記基部よりも軟質の材料で構成されたダンパー部と、を備えた、オルゴール。
【請求項７】
はじかれて振動する振動板と、
所定の回転軸回りに回転し、前記振動板に係合して前記振動板を変形させた状態に保持する消音区間部と、前記消音区間部の前記回転方向における後側に連続していて、前記振動板から離間する発音区間部とを有し、前記消音区間部と前記発音区間部との境界部において前記振動板がはじかれるように構成された励振手段と、
備えたオルゴール。
【発明の詳細な説明】
【技術分野】
【０００１】
本発明は、オルゴールに関する。
【背景技術】
【０００２】
例えば、下記特許文献１に記載されているように、振動板をはじいて発音するオルゴールは知られている。このオルゴールは、一般的なオルゴールと同様に、各音高に対応した複数の振動板と、前記振動板に対向して配置され、一定方向に回転するシリンダを有する。このシリンダの表面に突起状の複数の爪が設けられている。これらの爪は、所定の楽曲の楽譜の各音符に応じた位置にそれぞれ設けられている。シリンダが回転することにより、爪が振動板の端部をはじく。つまり、爪が振動板の端部に係合して振動板を変形させた後、爪が振動板から離脱する。これにより、振動板が振動する。振動板は、共鳴箱に支持されており、振動板の振動が共鳴箱にて増幅されて放音される。爪と振動板との係合量（爪が振動板に引っかかる深さ）は、すべての爪及び振動板に関して同一である。したがって、爪が振動板から離脱する直前の振動板の変形量は一定であり、はじかれた振動板の振幅の最大値は一定である。
【０００３】
これらの振動板は、共鳴体（響板）に支持されている。振動板の振動が共鳴体に伝達されて、共鳴体にて増幅され、共鳴体から音が発せられる。振動板と共鳴体の間には、振動板の振動を共鳴体に伝達する伝達部材が挟み込まれている。振動の伝達特性の異なる複数の伝達部材を備えている。用途（例えば楽曲の種類）に適した伝達部材を選択して交換することができる。これにより、共鳴体から発せられる音の特性（強度、音質など）を用途に適した状態に設定することができる。
【先行技術文献】
【特許文献】
【０００４】
【特許文献１】特開２００３−２７１１３２号公報
【発明の概要】
【０００５】
上記従来のオルゴールにおいては、オルゴール全体としての音の特性を設定できるだけであって、楽曲の演奏中に発せられる音ごとにその特性を設定することはできない。例えば、音ごとに音の長さを設定することはできない。よって、上記従来のオルゴールは、音楽的表現力に乏しい。
【０００６】
本発明は上記問題に対処するためになされたもので、その目的は、音楽的表現力を向上させたオルゴールを提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００７】
上記目的を達成するために、本発明の特徴は、はじかれて振動する振動板（１２２ｎ）と、所定の回転軸回りに回転し、前記振動板に係合して前記振動板を変形させた後、前記振動板から離脱することにより前記振動体をはじいて発音させる複数の発音用突部（１３２、Ｐａ）と、前記振動板に接触して前記振動板の振動を抑制する消音用突部（１３３、Ｐｂ）とを有する励振手段（１３、ＳＷ）と、備えたオルゴール（１、２）としたことにある。
【０００８】
また、この場合、前記消音用突部と前記振動板との係合量が、前記発音用突部と前記振動板との係合量よりも小さく設定されているとよい。
【０００９】
また、この場合、前記振動板から突出したダンパー片、を備え、前記消音用突部は、前記ダンパー片に係合するとよい。
【００１０】
また、この場合、前記消音用突部は、前記発音用突部よりも軟質の材料で構成されているとよい。
【００１１】
また、この場合、前記消音用突部は、金属材料で構成された基部と、前記基部の先端部に取り付けられ、前記基部よりも軟質の材料で構成されたダンパー部と、を備えているとよい。
【００１２】
また、本発明の特徴は、はじかれて振動する振動板と、所定の回転軸回りに回転し、前記振動板に係合して前記振動板を変形させた状態に保持する消音区間部（１３１ａ）と、前記消音区間部の前記回転方向における後側に連続していて、前記振動板から離間する発音区間部（ＴＨ）とを有し、前記消音区間部と前記発音区間部との境界部において前記振動板がはじかれるように構成された励振手段（１３）と、備えたオルゴールとしたことにある。
【００１３】
従来のオルゴールは、発音用のピンのみを備えている。よって、演奏する楽曲の楽譜を構成する音符の種類（４分音符、８分音符など）に関わらず、ピンによってはじかれた振動板の振動が自然に減衰するまで音が持続する。これに対し、本発明に係るオルゴールの励振手段は、振動板をはじく発音用突部（発音区間部）と、振動板の振動を抑制する消音用突部（消音区間部）を備えている。よって、本発明に係るオルゴールによれば、音を意図的に短くすることができる。すなわち、音を途中で減衰させることができる。よって、従来のオルゴールに比べて、本発明に係るオルゴールの音楽的表現力が高い。
【００１４】
また、本発明の他の特徴は、前記発音用突部と前記消音用突部との前記回転方向の距離を発音させる音の長さに応じて設定したことにある。
【００１５】
これによれば、音の長さ（振動板の振動する時間）を楽譜の音符の種類に応じて設定することができる。
【図面の簡単な説明】
【００１６】
【図１】本発明の一実施形態に係るオルゴールの本体部の斜視図である。
【図２】本体部の前端部を拡大した側面図である。
【図３】櫛歯の平面図である。
【図４】振動板と発音用ピンとの係合部を拡大した側面図である。
【図５】振動板と消音用ピンとの接触部を拡大した側面図である。
【図６】シリンダの平面図である。
【図７】シリンダの周方向における、発音用ピン及び消音用ピンの配置位置を説明する概略図である。
【図８】楽譜を構成する各音符が表す音高、発音タイミング及び消音タイミングの一例を示す表である。
【図９】本発明の変形例に係る消音用ピンの構成を示す平面図である。
【図１０】本発明の他の変形例に係る振動板と消音用ピンとの係合部を示す平面図である。
【図１１】本発明のさらに他の変形例に係る胴部の斜視図である。
【図１２Ａ】図１１の胴部を備えたシリンダが適用されたオルゴールにおいて、振動板がはじかれる直前の状態を示す概略図である。
【図１２Ｂ】図１１の胴部を備えたシリンダが適用されたオルゴールにおいて、振動板がはじかれて振動している状態を示す概略図である。
【図１２Ｃ】図１１の胴部を備えたシリンダが適用されたオルゴールにおいて、振動板がはじかれた後、振動が抑制された状態を示す概略図である。
【図１３】本発明をディスク型のオルゴールに適用した例を示す斜視図である。
【図１４】図１３のオルゴールにおける、ホイール部及びその周辺を拡大した側面図である。
【発明を実施するための形態】
【００１７】
本発明の一実施形態に係るオルゴール１について説明する。オルゴール１は、図１に示す本体部１０と図示しない共鳴箱を有する。本体部１０は、フレーム１１、櫛歯１２、シリンダ１３、及び駆動装置１４を備える。
【００１８】
フレーム１１は、本体部１０を構成する他の部材を支持する。フレーム１１は、その平面視において略正方形を呈する。以下の説明において、フレーム１１の一方の辺に沿う方向を前後方向と呼び、前記前後方向に垂直な辺に沿う方向を左右方向と呼ぶ（図１参照）。また、前後方向及び左右方向に垂直な方向を上下方向と呼ぶ（同図参照）。フレーム１１の下面は平面状に形成されている。フレーム１１の下面が図示しない共鳴箱に当接した状態で、本体部１０が共鳴箱に固定される。フレーム１１の上面における後端部には、櫛歯１２を支持する台座部１１ａが形成されている。また、フレーム１１の上面における前端部には、シリンダ１３を支持する支持部１１ｂが形成されている。
【００１９】
櫛歯１２は、基部１２１及び振動板１２２ｎ＝Ｃ，Ｃ＃，Ｄ，・・・を有する。基部１２１は、板状に形成され、台座部１１ａに固定されている。振動板１２２ｎ＝Ｃ，Ｃ＃，Ｄ，・・・は基部１２１の前端面から前方へそれぞれ延びる細長い板状部である。振動板１２２ｎ＝Ｃ，Ｃ＃，Ｄ，・・・は、台座部１１ａの前方へ張り出している。つまり、振動板１２２ｎの後端部が固定端であり、振動板１２２ｎの前端部が自由端である。なお、以下の説明において、符号の添え字である「ｎ」は、その符号が付された部材に割り当てられた音高を表している。振動板１２２ｎの長さ（前後方向の寸法）は、音高ｎに応じて設定されている。すなわち、各振動板１２２ｎの固有振動数が、各振動板１２２ｎに割り当てられた音高ｎの周波数に一致している。また、図２及び図３に示すように、振動板１２２ｎ＝Ｃ，Ｃ＃，Ｄ，・・・の前端の前後方向における位置は同一である。振動板１２２ｎ＝Ｃ，Ｃ＃，Ｄ，・・・は、左右方向に並べられている。各振動板１２２ｎの間隔ｄは一定である。また、振動板１２２ｎ＝Ｃ，Ｃ＃，Ｄ，・・・の幅Ｗ（左右方向の寸法）は同一である。振動板１２２ｎの前端部は、図４に示すように、楔形状を呈するように形成されている。すなわち、振動板１２２ｎの前端部の上面は他の部分と同一平面内に位置しており、振動板１２２ｎの前端部において後端側から前端側へ向かうに従って上下方向の寸法（板厚）が小さくなっている。
【００２０】
シリンダ１３は、櫛歯１２の前方にて、櫛歯１２に対向している。シリンダ１３は、筒状部１３１、複数の発音用ピン１３２、及び複数の消音用ピン１３３を有する。筒状部１３１は、円筒状に形成された胴部１３１ａを有する。胴部１３１ａの中心軸は、左右方向に平行である。胴部１３１ａの左右の端部は、円形の蓋部材１３１ｂによって閉じられている。この蓋部材１３１ｂには、左右方向に延びる軸部１３１ｃが形成されている。軸部１３１ｃの中心軸は、胴部１３１ａの中心軸に一致している。軸部１３１ｃが、支持部１１ｂに設けられた貫通孔Ｈ（図１参照）に挿入される。つまり、筒状部１３１は、その中心軸回りに回転可能に、支持部１１ｂに支持されている。筒状部１３１は、後述する駆動装置１４によって駆動されて、図２における反時計回り方向に、その中心軸線回りに一定の回転角速度ωで回転する。筒状部１３１の中心軸と各振動板１２２ｎの前端との前後方向の距離は、筒状部１３１の半径よりもわずかに大きい。つまり、非振動時の振動板１２２ｎの前端と胴部１３１ａの外側の表面との間にはわずかな隙間δが形成されている（図４参照）。また、筒状部１３１の中心軸の上下方向における位置は、櫛歯１２の下面の上下方向における位置よりも少し下方に設定されている。
【００２１】
各発音用ピン１３２及び各消音用ピン１３３は、楽曲を表す楽譜のいずれかの音符に対応している。つまり、各発音用ピン１３２及び各消音用ピン１３３は、いずれかの振動板１２２ｎに対応している。なお、図２においては、一組の発音用ピン１３２及び消音用ピン１３３のみを示し、他の発音用ピン１３２及び消音用ピン１３３を省略している。発音用ピン１３２及び消音用ピン１３３は、胴部１３１ａの表面から外側へ突出した円柱状に形成されている。発音用ピン１３２は、例えば、金属製である。一方、消音用ピン１３３は、発音用ピン１３２よりも軟質の材料で構成される。例えば、消音用ピン１３３は、ゴム製である。発音用ピン１３２及び消音用ピン１３３の延設方向は、胴部１３１ａの表面の法線方向に一致する。シリンダ１３が回転することにより、発音用ピン１３２が振動板１２２ｎに係合して、振動板１２２ｎをはじく。また、消音用ピン１３３は、前記発音用ピン１３２によってはじかれた振動板１２２ｎに接触して、前記振動板１２２ｎの振動を抑制する。胴部１３１ａの表面からの各発音用ピン１３２の突出高さｈ１３２は同一である。すなわち、各発音用ピン１３２と振動板１２２ｎとの引っかかり深さｅが所定量（例えば２ｍｍ）に設定されている。一方、胴部１３１ａの表面からの各消音用ピン１３３の突出高さｈ１３３は同一である。突出高さｈ１３３は、突出高さｈ１３２よりも小さい。具体的には、図５に示すように、消音用ピン１３３の先端面が振動板１２２ｎの先端に接触する程度に、突出高さｈ１３３が設定されている。
【００２２】
つぎに、図６及び図７を用いて、各発音用ピン１３２の配置位置及び各消音用ピン１３３の配置位置について説明する。各発音用ピン１３２の配置位置であって、シリンダ１３の中心軸線方向における位置ｆ１３２及び周方向における位置θ１３２は、各発音用ピン１３２が対応する音符が表す音高及び発音タイミング（曲頭からの経過時間）にそれぞれ応じて決定されている。また、各消音用ピン１３３の配置位置であって、シリンダ１３の中心軸線方向における位置ｆ１３３及び周方向における位置θ１３３は、各消音用ピン１３３が対応する音符が表す音高及び消音タイミング（曲頭からの経過時間）にそれぞれ応じて決定されている。なお、上記の消音タイミングとは、発音タイミングから、音符の種類（４分音符、８分音符など）に応じた時間が経過したタイミングを意味する。本実施形態では、楽譜を表す情報として、標準ＭＩＤＩデータファイルを用いる。すなわち、標準ＭＩＤＩデータファイルから、ノートオン情報及びノートオフ情報、タイミング情報などを抽出し、前記抽出した情報に基づいて、各音符Ｎが表す音高ｐ、発音タイミングｔｏｎ及び消音タイミングｔｏｆｆを決定する（図８参照）。そして、前記決定した各音符Ｎに関する情報に基づいて各発音用ピン１３２の位置ｆ１３２，θ１３２、及び各消音用ピン１３３の位置ｆ１３３，θ１３３を決定する。上記の処理（各音符に関する情報及びピンの配置位置の決定）は、専用のソフトウェアが組み込まれたコンピュータによって実行される。
【００２３】
つぎに、１つの音符Ｎに対応する発音用ピン１３２の位置ｆ１３２，θ１３２の決定手順について具体的に説明する。まず、シリンダ１３の中心軸方向における発音用ピン１３２の位置ｆ１３２の決定手順について説明する。最低音である振動板１２２ｎ＝Ｃ３に対応した基準の発音用ピン１３２の位置を基準位置ｆ０とする。この基準位置ｆ０から見た発音用ピン１３２の位置ｆ１３２であって、音高ｐに対応した発音用ピン１３２の位置ｆ１３２（図６参照）は、音符Ｎの音高ｐと基準である最低音の音高ｐ０との音高差に間隔ｄを乗算することにより得られる。
【００２４】
つぎに、シリンダ１３の周方向における発音用ピン１３２の位置θ１３２の決定手順について説明する。曲頭の位置θ０から見た発音用ピン１３２の位置θ１３２であって、発音タイミングｔｏｎに対応した発音用ピン１３２の位置θ１３２（図７参照）は、発音タイミングｔｏｎに回転角速度ωを乗算することにより得られる。
【００２５】
なお、消音用ピン１３３の位置ｆ１３３は、発音用ピン１３２の位置ｆ１３２の決定手順と同様の手順で決定される（図６参照）。また、曲頭の位置θ０から見た消音用ピン１３３の位置θ１３３であって、消音タイミングｔｏｆｆに対応した消音用ピン１３３の位置θ１３３（図７参照）は、消音タイミングｔｏｆｆに回転角速度ωを乗算することにより得られる。
【００２６】
駆動装置１４は、回転駆動装置（例えば、電動モータ、ゼンマイなど）を備える。この回転駆動装置の出力（回転力）が複数の歯車からなる減速装置を介してシリンダ１３に伝達され、シリンダ１３が回転する。
【００２７】
従来のオルゴールは、発音用のピンのみを備えている。よって、音符の種類に関わらず、ピンによってはじかれた振動板の振動が自然に減衰するまで音が持続する。これに対し、本実施形態に係るオルゴール１は、振動板１２２ｎをはじく発音用ピン１３２と、振動板１２２ｎの振動を抑制する消音用ピン１３３を備えている。発音用ピン１３２の位置ｆ１３２，θ１３２が楽譜を構成する音符Ｎの音高ｐ及び発音タイミングｔｏｎに基づいて決定されている。また、消音用ピン１３３の位置ｆ１３３，θ１３３が楽譜を構成する音符Ｎの音高ｐ及び消音タイミングｔｏｆｆに基づいて決定されている。したがって、オルゴール１によれば、各音の長さ（振動板１２２ｎの振動する時間）を楽譜の音符の種類に応じて設定することができる。よって、従来のオルゴールに比べて、オルゴール１の音楽的表現力が高い。
【００２８】
さらに、本発明の実施にあたっては、上記実施形態に限定されるものではなく、本発明の目的を逸脱しない限りにおいて種々の変更が可能である。
【００２９】
例えば、上記実施形態では、標準ＭＩＤＩデータファイルに基づいて、各音符Ｎの音高ｐ、並びに発音タイミングｔｏｎ及び消音タイミングｔｏｆｆを決定している。しかし、楽譜を構成する各音符に関する情報を決定（抽出）する方法は、上記実施形態に限られない。例えば、印刷された楽譜に基づいて、ユーザが、各音符に関する情報をコンピュータに手入力し、前記手入力された情報に基づいて、発音用ピン１３２及び消音用ピン１３３の配置位置が決定されてもよい。
【００３０】
また、上記実施形態では、消音用ピン１３３の先端面が振動板１２２ｎの先端に接触する程度に、消音用ピン１３３の突出高さｈ１３３が設定されているが、消音用ピン１３３の突出高さｈ１３３を、上記実施形態よりも多少大きくしてもよい。つまり、消音用ピン１３３が振動板１２２ｎに多少引っかかってもよい。ただし、突出高さｈ１３３を大きくしすぎると、振動板１２２ｎが消音用ピン１３３によってはじかれてノイズが発生する虞がある。したがって、大きなノイズが発生しない程度に、突出高さｈ１３３を設定することが好ましい。
【００３１】
また、図９に示すように、消音用ピン１３３が、金属製の基部１３３ａと、基部１３３ａの先端部を覆う軟質材製（例えば、ゴム製）のダンパー部１３３ｂとから構成されていてもよい。また、図１０に示すように、振動板１２２ｎの先端部の上面に軟質材製（例えば、ゴム製）のダンパー片ＤＰを取り付け、このダンパー片ＤＰに消音用ピン１３３が接触するように構成してもよい。図１０の例では、ダンパー片ＤＰの一部が振動板１２２ｎから左方へ突出しており、この突出部に消音用ピン１３３が接触する。なお、発音用ピン１３２は、上記実施形態と同様に、振動板１２２ｎの先端をはじく。すなわち、図１０の例では、発音用ピン１３２と消音用ピン１３３が左右方向（シリンダ１３の中心軸方向）にずれている。
【００３２】
なお、発音用ピン１３２及び消音用ピン１３３は、胴部１３１ａと一体的に形成されてもよいし、胴部１３１ａとは別に製造された発音用ピン１３２及び消音用ピン１３３を胴部１３１ａに組み付けてもよい。
【００３３】
また、胴部１３１ａにピンを設けるのではなく、図１１に示すように、胴部１３１ａに、その周方向に延びる貫通孔ＴＨを設けてもよい。図１２Ａは、振動板１２２ｎの振動が抑制された状態を示している。すなわち、振動板１２２ｎの先端部が、胴部１３１ａ（消音区間部）に当接し、上方へ押し上げられて湾曲した状態に保持されている。図１２Ａに示す状態からシリンダ１３が反時計回りに回転すると、振動板１２２ｎの先端が貫通孔ＴＨ（発音区間部）内へ入りこむ。すなわち、上方へ押し上げられていた振動板１２２ｎが突然解放される。言い換えれば、胴部１３１ａの表面部と貫通孔ＴＨとの境界にて、振動板１２２ｎがはじかれる。これにより、図１２Ｂに示すように、振動板１２２ｎが振動する。そして、さらにシリンダ１３が反時計回りに回転すると、図１２Ｃに示すように、振動板１２２ｎの先端部が、再び上方へ押し上げられて湾曲した状態に保持される。この場合、各音符の種類に応じて、貫通孔ＴＨの長さを設定すればよい。これによっても、上記実施形態と同様の効果が得られる。
【００３４】
また、上記実施形態は、本発明をシリンダ型のオルゴールに適用した例であるが、本発明は、図１３及び図１４に示すように、ディスク型のオルゴール２にも適用可能である。すなわち、このオルゴール２は、ホイールＳＷ、ディスクＤＫ、及び振動板１２２ｎを有する。ホイールＳＷは、円板状に形成されている。ホイールＳＷの外周面には、発音用突起Ｐａ及び消音用突起Ｐｂが形成されている。発音用突起Ｐａ及び消音用突起Ｐｂは、ホイールＳＷの周方向に交互に配置されている。ディスクＤＫには、発音用突起Ｐａ及び消音用突起Ｐｂに係合する複数の貫通孔ＴＨＰが形成されている。ディスクＤＫが回転すると、発音用突起Ｐａ及び消音用突起Ｐｂが貫通孔ＴＨＰにそれぞれ係合して、ホイールＳＷが断続的に所定の角度（９０°）ずつ回転する。発音用突起Ｐａは、上記実施形態の発音用ピン１３２と同様に、振動板１２２ｎに係合して、振動板１２２ｎをはじく。消音用突起Ｐｂは、上記実施形態の消音用ピン１３３と同様に、振動板１２２ｎに接触して、振動板１２２ｎの振動を抑制する。この場合、ディスクＤＫの周方向に隣接する２つの貫通孔ＴＨＰの間隔が、音符の種類に応じて設定される。これによっても、上記実施形態と同様の効果が得られる。
【符号の説明】
【００３５】
１，２・・・オルゴール、１０・・・本体部、１１・・・フレーム、１１ａ・・・台座部、１１ｂ・・・支持部、１２・・・櫛歯、１３・・・シリンダ、１４・・・駆動装置、１２１・・・基部、１２２ｎ       ・・・振動板、１３１・・・筒状部、１３２・・・発音用ピン、１３３・・・消音用ピン、１３３ａ・・・基部、１３３ｂ・・・ダンパー部、ｄ・・・間隔、ＤＫ・・・ディスク、ＤＰ・・・ダンパー片、ｆ１３２，θ１３２・・・位置、ｆ１３３，θ１３３・・・位置、ｎ・・・音高、Ｎ・・・音符、ｐ・・・音高、Ｐａ・・・発音用突起、Ｐｂ・・・消音用突起、ＳＷ・・・ホイール、ＴＨ・・・貫通孔、ＴＨＰ・・・貫通孔、ｔｏｆｆ・・・消音タイミング、ｔｏｎ・・・発音タイミング、Ｗ・・・幅、δ・・・隙間、ω・・・回転角速度
【図１】
2017167236.tif 000003
【図２】
2017167236.tif 000004
【図３】
2017167236.tif 000005
【図４】
2017167236.tif 000006
【図５】
2017167236.tif 000007
【図６】
2017167236.tif 000008
【図７】
2017167236.tif 000009
【図８】
2017167236.tif 000010
【図９】
2017167236.tif 000011
【図１０】
2017167236.tif 000012
【図１１】
2017167236.tif 000013
【図１２Ａ】
2017167236.tif 000014
【図１２Ｂ】
2017167236.tif 000015
【図１２Ｃ】
2017167236.tif 000016
【図１３】
2017167236.tif 000017
【図１４】
2017167236.tif 000018